(57)【要約】【課題】浴室空調装置がその異常の発生を外部に発信することができないものであっても、遠隔操作による該浴室空調装置の運転時に該浴室空調装置の異常が発生した場合に、該異常の発生を外部ネットワークを介してユーザの外部通信端末に通知することを可能とする。【解決手段】遠隔操作による浴室空調装置１０の浴室加熱運転時に、給湯装置１の制御処理部が、浴室リモコン３に搭載した温度センサ３ｄによる浴室温度の検出値に基づいて浴室空調装置１０の異常の有無を検知し、異常の発生を検知した場合に、その旨を示す情報を給湯装置１の対外通信部４ｄから外部ネットワークＮＷを介してユーザの外部通信端末２４に送信する。【選択図】図１
2019015444.tif 000002
【特許請求の範囲】
【請求項１】
浴室を昇温させる浴室加熱運転を実行する機能を少なくとも有する浴室空調装置と、浴室を含む給湯対象箇所に給湯する給湯運転を実行する機能を少なくとも有する給湯装置とを備える浴室システムであって、
前記浴室空調装置は、該浴室空調装置の運転指令信号を無線通信により受信可能に前記浴室に配置された受信部を備え、該受信部で受信した運転指令信号に応じて、少なくとも前記浴室加熱運転を実行し得るように構成されており、
前記給湯装置は、該給湯装置の運転操作を行い得るように前記浴室に配置される浴室リモコンと、該浴室の温度を検出し得るように前記浴室に配置される温度センサと、前記浴室空調装置の受信部に該浴室空調装置の運転指令信号を送信し得るように前記浴室に配置される送信部と、前記浴室空調装置及び前記給湯装置の遠隔操作を行う機能が付与された外部通信端末と外部ネットワークを介して通信可能な対外通信部と、該給湯装置の動作制御に係る処理を実行する制御処理部とを備えており、
前記給湯装置の制御処理部は、前記浴室空調装置に前記浴室加熱運転を実行させることを要求する遠隔操作信号を前記外部通信端末から前記対外通信部で受信したとき、該浴室空調装置に浴室加熱運転を実行させる運転指令信号を前記送信部から前記浴室空調装置の受信部に送信させる運転指令送信処理と、当該送信後に、前記温度センサにより検出される前記浴室の温度に基づいて、前記浴室空調装置の異常の有無を検知する異常検知処理と、該浴室空調装置の異常を検知したとき、該異常の発生を示す情報を、前記対外通信部から前記外部通信端末に送信させる異常発生通知処理とを実行するように構成されていることを特徴とする浴室システム。
【請求項２】
請求項１記載の浴室システムにおいて、
前記給湯装置の制御処理部は、前記異常検知処理により前記浴室空調装置の異常を検知したとき、前記温度センサにより検出された前記浴室の温度を示す情報信号を前記対外通信部から前記外部通信端末に送信させる処理をさらに実行するように構成されていることを特徴とする浴室システム。
【請求項３】
請求項１又は２記載の浴室システムにおいて、
前記給湯装置は、前記給湯運転のほか、前記浴室内の浴槽の湯はりを行う湯はり運転と、前記浴槽に湯はりされた湯の温度を保温するように該浴槽内の湯の間欠的な加熱を行う保温運転とを実行する機能を有しており、
前記給湯装置の制御処理部は、前記湯はり運転の実行を要求する遠隔操作信号を前記外部通信端末から前記対外通信部で受信したとき、該給湯装置の湯はり運転と並行して、前記浴室空調装置の浴室加熱運転を実行するための条件が成立する場合に、該給湯装置に湯はり運転を実行させる制御処理と、前記運転指令送信処理と、前記異常検知処理とを実行し、該異常検知処理により前記浴室空調装置の異常を検知したとき、前記異常発生通知処理を実行し、さらに、該給湯装置の保温運転を実行するための条件が成立する場合に、該給湯装置の湯はり運転の終了後に、該給湯装置に保温運転を実行させる制御処理を実行するように構成されていることを特徴とする浴室システム。
【請求項４】
請求項１又は２記載の浴室システムにおいて、
前記給湯装置は、前記給湯運転のほか、前記浴室内の浴槽の湯はりを行う湯はり運転と、前記浴槽に湯はりされた湯の温度を昇温するように該浴槽内の湯の加熱又は該浴槽への湯の補充を一時的に行う湯温度昇温運転とを実行する機能を有しており、
前記給湯装置の制御処理部は、前記湯はり運転の実行を要求する遠隔操作信号を前記外部通信端末から前記対外通信部で受信したとき、該給湯装置の湯はり運転と並行して、前記浴室空調装置の浴室加熱運転を実行するための条件が成立する場合に、該給湯装置に湯はり運転を実行させる制御処理と、前記運転指令送信処理と、前記異常検知処理とを実行し、該異常検知処理により前記浴室空調装置の異常を検知したとき、前記異常発生通知処理を実行し、さらに、該給湯装置の湯温度昇温運転を実行するための条件が成立する場合に、該給湯装置の湯はり運転の終了後に、該給湯装置に湯温度昇温運転を実行させる制御処理を実行するように構成されていることを特徴とする浴室システム。
【請求項５】
請求項３記載の浴室システムにおいて、
前記浴室空調装置は、前記浴室内の空気を撹拌する撹拌運転を実行する機能を有しており、
前記給湯装置の制御処理部は、前記異常検知処理により前記浴室空調装置の異常を検知したとき、該給湯装置に前記保温運転を実行させる制御処理を実行する場合に、前記浴室空調装置に前記撹拌運転を実行させる運転指令信号を前記送信部から前記浴室空調装置の受信部に送信させる処理をさらに実行するように構成されていることを特徴とする浴室システム。
【請求項６】
請求項４記載の浴室システムにおいて、
前記浴室空調装置は、前記浴室内の空気を撹拌する撹拌運転を実行する機能を有しており、
前記給湯装置の制御処理部は、前記異常検知処理により前記浴室空調装置の異常を検知したとき、該給湯装置に前記湯温度昇温運転を実行させる制御処理を実行する場合に、前記浴室空調装置に前記撹拌運転を実行させる運転指令信号を前記送信部から前記浴室空調装置の受信部に送信させる処理をさらに実行するように構成されていることを特徴とする浴室システム。
【発明の詳細な説明】
【技術分野】
【０００１】
本発明は、給湯装置と浴室空調装置とを備える浴室システムに関する。
【背景技術】
【０００２】
従来、例えば特許文献１に見られるように、給湯装置の運転操作を行い得る浴室リモコンに赤外線送信部を備えておき、浴室の暖房等を行う浴室空調装置が給湯装置と有線通信を行うことができないものであっても、浴室リモコンの赤外線送信部から、浴室空調装置に備えられた赤外線受信部に、赤外線による運転指令を送信することで、該浴室空調装置の暖房運転等を行い得るようにしたものが知られている。
【０００３】
また、例えば特許文献２に見られるように、給湯器、浴室暖房乾燥機等の温水利用装置を、宅外からインターネット等の外部ネットワークを介して遠隔操作し得るようにしたものが知られている。
【先行技術文献】
【特許文献】
【０００４】
【特許文献１】特許第４０１７１５９号公報
【特許文献２】特開２００６−７８０７８号公報
【発明の概要】
【発明が解決しようとする課題】
【０００５】
特許文献１に見られるように給湯装置と浴室空調装置とを含む浴室システムにおいて、給湯装置あるいは浴室空調装置を、宅外からスマートフォン等の通信端末により遠隔操作し得ることが望まれる。
【０００６】
例えば、冬季において、外出中のユーザが、帰宅後に浴槽への入浴あるいはシャワー浴を行おうとする場合、ユーザの帰宅前に浴室を暖めておくように、遠隔操作によって、浴室空調装置の運転（暖房運転又は乾燥運転）を行い得ることが望まれる。
【０００７】
さらに、給湯装置が浴槽の湯はりを自動で行う湯はり運転機能を有する場合には、給湯装置による湯はり運転と、浴室空調装置による暖房運転又は乾燥運転とを、遠隔操作によって並行して行い得るようすることが望まれる。
【０００８】
一方、上記のように給湯装置あるいは浴室空調装置の運転を遠隔操作で行った場合において、給湯装置あるいは浴室空調装置のなんらかの異常が発生することによって、ユーザが遠隔操作で指定した所望の運転が行われない場合もあり得る。
【０００９】
このような場合には、給湯装置あるいは浴室空調装置の異常が発生したことを、ユーザが、帰宅前でも速やかに認識し得るように、当該異常の発生を、外部ネットワークを介してユーザの通信端末に通知することが望ましい。
【００１０】
しかしながら、後付型の浴室空調装置等、給湯装置等の他の機器（該浴室空調装置の操作器を除く）と有線通信を行う機能を持たない浴室空調装置は、赤外線通信等の無線通信による運転指令を受信可能な受信部が備えられていても、該浴室空調装置の運転状態等を外部に無線で発信する機能を持たないものが多い。
【００１１】
このような浴室空調装置は、自身の異常の発生を検知する機能を有していても、該浴室空調装置の異常の発生を、外部に発信することができない。ひいては、該浴室空調装置が、宅外のユーザによる遠隔操作で指定された運転を正常に行うことができない異常状態になっても、該ユーザの通信端末に該浴室空調装置の異常の発生を通知することができないという不都合が生じる。
【００１２】
本発明はかかる背景に鑑みてなされたものであり、給湯装置と浴室空調装置を備える浴室システムにおいて、浴室空調装置がその異常の発生を外部に発信することができないものであっても、遠隔操作による該浴室空調装置の運転時に該浴室空調装置の異常が発生した場合に、該異常の発生を外部ネットワークを介してユーザの外部通信端末に通知することができる浴室システムを提供することを目的とする。
【課題を解決するための手段】
【００１３】
本発明の浴室システムは、上記の目的を達成するために、浴室を昇温させる浴室加熱運転を実行する機能を少なくとも有する浴室空調装置と、浴室を含む給湯対象箇所に給湯する給湯運転を実行する機能を少なくとも有する給湯装置とを備える浴室システムであって、
前記浴室空調装置は、該浴室空調装置の運転指令信号を無線通信により受信可能に前記浴室に配置された受信部を備え、該受信部で受信した運転指令信号に応じて、少なくとも前記浴室加熱運転を実行し得るように構成されており、
前記給湯装置は、該給湯装置の運転操作を行い得るように前記浴室に配置される浴室リモコンと、該浴室の温度を検出し得るように前記浴室に配置される温度センサと、前記浴室空調装置の受信部に該浴室空調装置の運転指令信号を送信し得るように前記浴室に配置される送信部と、前記浴室空調装置及び前記給湯装置の遠隔操作を行う機能が付与された外部通信端末と外部ネットワークを介して通信可能な対外通信部と、該給湯装置の動作制御に係る処理を実行する制御処理部とを備えており、
前記給湯装置の制御処理部は、前記浴室空調装置に前記浴室加熱運転を実行させることを要求する遠隔操作信号を前記外部通信端末から前記対外通信部で受信したとき、該浴室空調装置に浴室加熱運転を実行させる運転指令信号を前記送信部から前記浴室空調装置の受信部に送信させる運転指令送信処理と、当該送信後に、前記温度センサにより検出される前記浴室の温度に基づいて、前記浴室空調装置の異常の有無を検知する異常検知処理と、該浴室空調装置の異常を検知したとき、該異常の発生を示す情報を、前記対外通信部から前記外部通信端末に送信させる異常発生通知処理とを実行するように構成されていることを特徴とする（第１発明）。
【００１４】
かかる本発明によれば、給湯装置の制御処理部は、前記遠隔操作信号に応じて浴室空調装置の浴室加熱運転を実行させた状況において、該浴室空調装置の異常が発生した場合には、浴室空調装置の運転状態を示す情報を該浴室空調装置から取得することを必要とせずに、該給湯装置が有する前記温度センサにより検出される浴室の温度に基づいて、浴室空調装置の異常の発生を検知できる。
【００１５】
そして、給湯装置の制御処理部は、当該異常の発生を検知した場合には、当該異常の発生を示す情報を、給湯装置の対外通信部から外部ネットワークを介して前記外部通信端末（前記遠隔操作信号の送信元の外部通信端末）に送信する。
【００１６】
従って、本発明の浴室システムによれば、浴室空調装置がその異常の発生を外部に発信することができないものであっても、遠隔操作による該浴室空調装置の運転時に該浴室空調装置の異常が発生した場合に、該異常の発生を外部ネットワークを介してユーザの外部通信端末に通知することができる。
【００１７】
これにより、該ユーザは、宅外において（帰宅する前に）、浴室空調装置の運転（浴室加熱運転）が正常に行われておらず、浴室が適切に加熱されていないことを認識することができる。また、必要に応じて、対策処置等を、該ユーザの家族等に依頼することも可能となる。
【００１８】
上記第１発明では、前記給湯装置の制御処理部は、前記異常検知処理により前記浴室空調装置の異常を検知したとき、前記温度センサにより検出された前記浴室の温度を示す情報信号を前記対外通信部から前記外部通信端末に送信させる処理をさらに実行するように構成され得る（第２発明）。
【００１９】
これによれば、ユーザは宅外において（帰宅する前に）、浴室空調装置の異常が発生したことを認識できることに加えて、浴室内の温度がどの程度の温度であるかを外部通信端末を介して認識することができる。従って、該ユーザは、浴室内の温度状態を正しく認識して、より適切な対策処置等をとることが可能となる。
【００２０】
上記第１発明又は第２発明では、前記給湯装置が、前記給湯運転のほか、前記浴室内の浴槽の湯はりを行う湯はり運転と、前記浴槽に湯はりされた湯の温度を保温するように該浴槽内の湯の間欠的な加熱を行う保温運転とを実行する機能を有している場合には、前記給湯装置の制御処理部は、前記湯はり運転の実行を要求する遠隔操作信号を前記外部通信端末から前記対外通信部で受信したとき、該給湯装置の湯はり運転と並行して、前記浴室空調装置の浴室加熱運転を実行するための条件が成立する場合に、該給湯装置に湯はり運転を実行させる制御処理と、前記運転指令送信処理と、前記異常検知処理とを実行し、該異常検知処理により前記浴室空調装置の異常を検知したとき、前記異常発生通知処理を実行し、さらに、該給湯装置の保温運転を実行するための条件が成立する場合に、該給湯装置の湯はり運転の終了後に、該給湯装置に保温運転を実行させる制御処理を実行するように構成され得る（第３発明）。
【００２１】
これによれば、遠隔操作により給湯運転の湯はり運転と、浴室空調装置の浴室加熱運転とを並行して実行した状況で、浴室空調装置の異常が発生した場合に、適宜（給湯装置の保温運転を実行するための条件が成立する場合に）、給湯装置の湯はり運転の終了後に、保温運転が自動的に実行される。
【００２２】
このため、浴室空調装置の異常の発生により浴室内の温度が低くなっている状況でも、ユーザが帰宅する前に、浴槽内の湯温が放熱により早期に低下してしまうのを防止することができる。また、浴槽内の保温された湯から浴室内への放熱が継続的に行われるので、該放熱によって、浴室内をある程度、暖めておくことが可能となる。
【００２３】
上記第１発明又は第２発明では、前記給湯装置が、前記給湯運転のほか、前記浴室内の浴槽の湯はりを行う湯はり運転と、前記浴槽に湯はりされた湯の温度を昇温するように該浴槽内の湯の加熱又は該浴槽への湯の補充を一時的に行う湯温度昇温運転とを実行する機能を有している場合には、前記給湯装置の制御処理部は、前記湯はり運転の実行を要求する遠隔操作信号を前記外部通信端末から前記対外通信部で受信したとき、該給湯装置の湯はり運転と並行して、前記浴室空調装置の浴室加熱運転を実行するための条件が成立する場合に、該給湯装置に湯はり運転を実行させる制御処理と、前記運転指令送信処理と、前記異常検知処理とを実行し、該異常検知処理により前記浴室空調装置の異常を検知したとき、前記異常発生通知処理を実行し、さらに、該給湯装置の湯温度昇温運転を実行するための条件が成立する場合に、該給湯装置の湯はり運転の終了後に、該給湯装置に湯温度昇温運転を実行させる制御処理を実行するように構成され得る（第４発明）。
【００２４】
これによれば、遠隔操作により給湯運転の湯はり運転と、浴室空調装置の浴室加熱運転とを並行して実行した状況で、浴室空調装置の異常が発生した場合に、適宜（給湯装置の湯温度昇温運転を実行するための条件が成立する場合に）、給湯装置の湯はり運転の終了後に、湯温度昇温運転が自動的に実行される。
【００２５】
このため、浴室空調装置の異常の発生により浴室内の温度が低くなっている状況でも、ユーザが帰宅する前に、浴槽内の湯温が放熱により早期に低下してしまうのを防止することができる。また、浴槽内の昇温された湯から浴室内への放熱によって、浴室内をある程度、暖めておくことが可能となる。
【００２６】
上記第３発明では、前記浴室空調装置が、前記浴室内の空気を撹拌する撹拌運転を実行する機能を有している場合には、前記給湯装置の制御処理部は、前記異常検知処理により前記浴室空調装置の異常を検知したとき、該給湯装置に前記保温運転を実行させる制御処理を実行する場合に、前記浴室空調装置に前記撹拌運転を実行させる運転指令信号を前記送信部から前記浴室空調装置の受信部に送信させる処理をさらに実行するように構成されていることが好ましい（第５発明）。
【００２７】
同様に、上記第４発明では、前記浴室空調装置が、前記浴室内の空気を撹拌する撹拌運転を実行する機能を有している場合に、前記給湯装置の制御処理部は、前記異常検知処理により前記浴室空調装置の異常を検知したとき、該給湯装置に前記湯温度昇温運転を実行させる制御処理を実行する場合に、前記浴室空調装置に前記撹拌運転を実行させる運転指令信号を前記送信部から前記浴室空調装置の受信部に送信させる処理をさらに実行するように構成されていることが好ましい（第６発明）。
【００２８】
これらの第５発明又は第６発明によれば、浴室空調装置の異常が発生した場合に、該浴室空調装置が、上記撹拌運転を実行し得る状況では、給湯装置の湯はり運転の終了後の前記保温運転又は湯温度昇温運転の実行中に浴室空調装置の撹拌運転を実行させることができる。
【００２９】
このため、浴槽内の湯の放熱を浴室内の全体に拡散することができ、該浴室内を均一的に暖めることが可能となる。
【図面の簡単な説明】
【００３０】
【図１】本発明の一実施形態の浴室システムの構成を示す図。
【図２】図１の浴室システムに含まれる給湯装置の制御系構成を示すブロック図。
【図３】図１の浴室システムに含まれる浴室空調装置の制御系構成を示すブロック図。
【発明を実施するための形態】
【００３１】
［第１実施形態］
本発明の第１実施形態を図１〜図３を参照して以下に説明する。図１を参照して、本実施形態の浴室システムは、住戸Ｈに設置されるシステムであり、給湯装置１と浴室空調装置１０とを備える。
【００３２】
給湯装置１は、本実施形態では、所謂、風呂給湯装置であり、浴室ＢＲ及び台所等の給湯箇所への給湯を行う給湯運転を実行可能であると共に、浴室ＢＲの浴槽ＢＴに湯はりを行う湯はり運転、浴槽ＢＴ内の湯を加熱する追い焚き運転、浴槽ＢＴに足し湯を行う足し湯運転、浴槽ＢＴ内の湯の保温を行う保温運転等の風呂運転を実行可能である。
【００３３】
この給湯装置１は、熱源機２と、給湯装置１の運転操作をユーザが行うためのリモコン３，４とを含む。
【００３４】
熱源機２には、該熱源機２内に水道水等の給湯用水を導入する給水管５と、熱源機２内で加熱した給湯用水（湯）を台所、浴室等の給湯箇所に供給する給湯管６とが接続されていると共に、浴槽ＢＴとの間で温水を流通させる浴槽配管７，７とが接続されている。
【００３５】
この熱源機２は、例えば、公知の構成の燃焼式の熱源機であり、図示を省略するバーナ（燃焼式加熱源）及び熱交換器と、給湯装置１の本体部たる熱源機２の運転制御を行う本体制御部２ａと、該本体制御部２ａにより制御される種々の制御機器２ｂ（図２に示す）とが搭載されている。
【００３６】
詳細な図示は省略するが、熱源機２の制御機器２ｂには、バーナへの燃料供給路を開閉する電磁弁、該バーナへの燃料供給量を調整する制御弁、バーナに燃焼用空気を供給する燃焼ファン、点火器等の燃焼系の機器と、熱交換器の周辺の通水路を開閉する電磁弁、該通水路の流量を調整する制御弁等の通水系の機器とが含まれる。
【００３７】
なお、バーナの燃料は、燃料ガス、あるいは、灯油等の液体燃料のいずれであってもよい。
【００３８】
本体制御部２ａは、マイコン、メモリ、インターフェース回路等を含む電子回路ユニットにより構成されている。該本体制御部２ａは、リモコン３，４のそれぞれとの間で相互に通信し得るように、リモコン３，４のそれぞれの後述するリモコン制御部３ａ，４ａに有線接続されている。
【００３９】
そして、本体制御部２ａは、実装されたハードウェア構成及びプログラム（ソフトウェア構成）によって、制御機器２ｂを制御する機能、リモコン３，４と通信を行う機能、各種演算処理を実行する機能等を有する。
【００４０】
本体制御部２ａによる制御機器２ｂの制御によって、熱源機２は、給湯運転時に、給水管５から供給される給湯用水をバーナの燃焼熱により熱交換器を介して加熱しつつ、加熱した給湯用水（湯）を、台所や浴室ＢＲ等の給湯箇所に給湯管６を介して供給するという運転動作、浴槽ＢＴの湯はり運転もしくは足し湯運転時に、給水管５から供給される給湯用水をバーナの燃焼熱により熱交換器を介して加熱しつつ、加熱した給湯用水（湯）を、浴槽ＢＴに浴槽配管７，７の一方もしくは両方を介して供給するという運転動作、浴槽ＢＴの追焚き運転時に、浴槽ＢＴとの間で浴槽配管７，７を介して温水を循環させつつ、該温水をバーナの燃焼熱により熱交換器を介して加熱するという運転動作、浴槽ＢＴの保温運転時に、浴槽ＢＴ内の湯の温度を、リモコン３又は４でユーザにより設定された温度にほぼ一致する温度に保つように、浴槽ＢＴとの間で浴槽配管７，７を介して温水を循環させつつ、該温水をバーナの燃焼熱により熱交換器を介して加熱することを間欠的に繰り返すという運転動作等を実行可能である。
【００４１】
給湯装置１のリモコン３，４のうち、リモコン３は、浴室ＢＲに設置されるリモコン、リモコン４は、浴室ＢＲ以外の箇所、例えば台所に設置されるリモコンである。以降、リモコン３を浴室リモコン３、リモコン４を台所リモコン４ということがある。
【００４２】
これらの浴室リモコン３又は台所リモコン４の操作部（図２に示す操作部３ｂ又は４ｂ）を操作することによって、給湯装置１の各運転の実行指示、ユーザが希望する給湯温度あるいは浴槽ＢＴ内の湯温（風呂温度）の設定等を行うことが可能である。
【００４３】
浴室リモコン３及び台所リモコン４は、本実施形態では、図２に示す如く構成されている。
【００４４】
具体的には、浴室リモコン３は、浴室リモコン３の動作に関する制御処理を実行可能なリモコン制御部３ａと、複数の操作スイッチ等により構成される操作部３ｂと、各種情報を報知する報知部としての表示部３ｃと、浴室ＢＲの温度（室温）を検出する温度センサ３ｄと、浴室空調装置１０に対する運転指令信号としての赤外線信号を該浴室空調装置１０の後述の赤外線受信部１１ｃに送信する赤外線送信部３ｅとを備える。
【００４５】
リモコン制御部３ａは、マイコン、メモリ、インターフェース回路等を含む電子回路ユニットにより構成され、熱源機２の本体制御部２ａ及び台所リモコン４の後述するリモコン制御部４ａと相互に通信し得るように、該本体制御部２ａ及びリモコン制御部４ａに有線接続されている。また、リモコン制御部３ａには、操作部３ｂの操作信号及び温度センサ３ｄの検出信号が入力される。
【００４６】
そして、リモコン制御部３ａは、実装されたハードウェア構成及びプログラムによって、表示部３ｃ（報知部）及び赤外線送信部３ｅの動作を制御する機能、熱源機２の本体制御部２ａ及び台所リモコン４の後述するリモコン制御部４ａのそれぞれと通信を行う機能、各種演算処理を実行する機能等を有する。この場合、本実施形態では、リモコン制御部３ａは、温度センサ３ｄで検出された浴室ＢＲの温度に基づいて、浴室空調装置１０の異常を検知する機能、温度センサ３ｄで検出された浴室ＢＲの温度（以降、浴室温度検出値という）を表示部３ｃで表示させたり、あるいは、該浴室温度検出値を台所リモコン４で表示させるべく、該浴室温度検出値を示す情報信号を台所リモコンに送信する機能等を含む。
【００４７】
台所リモコン４は、図２に示す如く、台所リモコン４の動作に関する制御処理を実行可能なリモコン制御部４ａと、複数の操作スイッチ等により構成される操作部４ｂと、各種情報を報知する表示部４ｃと、インターネット、公衆通信網等により構成される広域ネットワークである外部ネットワークＮＷ側との通信を行う対外通信部４ｄとを備える。
【００４８】
対外通信部４ｄは、外部ネットワークＮＷに接続可能に住戸Ｈに設置されたルータ２０（図１に示す）と、Wi-Fi（登録商標）もしくはBluetooth（登録商標）等の通信方式で無線通信を行い得るように構成されていると共に、リモコン制御部４ａに接続されている。これにより、台所リモコン４のリモコン制御部４ａは、対外通信部４ｄ及びルータ２０を介して外部ネットワークＮＷ側と通信を行うことが可能となっている。この場合、ルータ２０と外部ネットワークＮＷとの間の通信は、無線通信及び有線通信のいずれでもよい。
【００４９】
なお、対外通信部４ｄは、ＬＡＮケーブル等を介してルータ２０と有線通信を行い得るように構成されていてもよい。また、対外通信部４ｄは、ルータとしての機能を併せもつように構成されていてもよい。この場合には、ルータ２０は不要である。
【００５０】
リモコン制御部４ａは、マイコン、メモリ、インターフェース回路等を含む電子回路ユニットにより構成され、熱源機２の本体制御部２ａ及び浴室リモコン３のリモコン制御部３ａと相互に通信し得るように、該本体制御部２ａ及びリモコン制御部３ａに有線接続されている。また、リモコン制御部４ａには、操作部４ｂの操作信号が入力される。
【００５１】
そして、リモコン制御部４ａは、実装されたハードウェア構成及びプログラムによって、表示部４ｃの動作を制御する機能、熱源機２の本体制御部２ａ及び浴室リモコン３のリモコン制御部３ａのそれぞれと通信を行う機能、対外通信部４ｄ及びルータ２０を介して外部ネットワークＮＷ側と通信を行う機能、各種演算処理を実行する機能等を有する。
【００５２】
この場合、リモコン制御部４ａは、外部ネットワークＮＷ側から対外通信部４ｄで受信する給湯装置１又は浴室空調装置１０の遠隔操作信号に応じて、給湯装置１の運転を指示する指令信号を熱源機２の本体制御部２ａに送信したり、浴室空調装置１０の運転を指示する指令信号を浴室リモコン３のリモコン制御部３ａに送信する機能、浴室リモコン３から受信した浴室温度検出値を表示部４ｃで表示させる機能等を含む。
【００５３】
なお、台所リモコン４の表示部４ｃでの浴室温度検出値の表示（報知）によって、ユーザは、浴室ＢＲに入室する前等において、浴室ＢＲの温度状態を認識することができる。
【００５４】
補足すると、給湯装置１は、浴室リモコン３及び台所リモコン４以外の他のリモコンをさらに備えていてもよい。また、給湯装置１の各リモコン３，４は、各種情報を報知する報知部として、表示部３ｃ，４ｃの他、ブザー、スピーカ等により構成される発音部を含み得る。また、本体制御部２ａとリモコン制御部３ａ，４ａのそれぞれとの間の通信方式は、有線通信に限らず、Wi-Fi（登録商標）等による無線通信であってもよい。
【００５５】
また、本実施形態では、熱源機２の本体制御部２ａ、浴室リモコン３のリモコン制御部３ａ、および台所リモコン４のリモコン制御部４ａの全体が本発明における給湯装置の制御処理部に相当し、浴室リモコン３の赤外線送信部３ｅが本発明における給湯装置の送信部に相当する。
【００５６】
浴室空調装置１０は、浴室ＢＲの暖房運転及び換気運転等の浴室ＢＲの空調運転を実行可能な装置である。なお、浴室空調装置１０が実行可能な空調運転には、暖房運転及び換気運転の他、浴室ＢＲの乾燥を行う乾燥運転、あるいは、浴室ＢＲへの涼風の送風を行う送風運転等が含まれ得る。
【００５７】
この浴室空調装置１０は、その本体部である空調本体部１１と、浴室空調装置１０の運転操作をユーザが行うための空調用リモコン１２とを含む。
【００５８】
空調本体部１１は、例えば浴室ＢＲの天井部に取り付けられるユニットであり、図３に示す如く、空調本体部１１の運転制御を行う本体制御部１１ａと、該本体制御部１１ａにより制御される種々の制御機器１１ｂと、前記浴室リモコン３の赤外線送信部３ｅから送信させる赤外線信号を受信する赤外線受信部１１ｃとを備える。なお、本実施形態では、空調本体部１１の赤外線受信部１１ｃが本発明における浴室空調装置の受信部に相当する。
【００５９】
詳細な図示は省略するが、空調本体部１１の制御機器１１ｂには、電気式の発熱部、送風機、風路切換用のダンパ等が含まれる。
【００６０】
赤外線受信部１１ｃは、浴室リモコン３の赤外線送信部３ｅから送信される赤外線信号を受信し得るように浴室ＢＲに臨んで配置されている。該赤外線受信部１１ｃは、受信した赤外線信号の情報データを本体制御部１１ａに出力する。
【００６１】
なお、浴室空調装置１０には、空調用リモコン１２と別のリモコンであって、浴室空調装置１０の運転操作信号を赤外線信号により出力可能な携帯リモコン（図示しない）が付属し得る。そして、赤外線受信部１１ｃは、浴室リモコン３の赤外線送信部３ｅから送信される赤外線信号だけでなく、該携帯リモコンから送信される赤外線信号を受信し得る受信部である。
【００６２】
本体制御部１１ａは、マイコン、メモリ、インターフェース回路等を含む電子回路ユニットにより構成される。また、本体制御部１１ａは、空調用リモコン１２との間で相互に通信し得るように、該空調用リモコン１２の後述するリモコン制御部１２ａに有線接続されている。
【００６３】
そして、本体制御部１１ａは、実装されたハードウェア構成及びプログラム（ソフトウェア構成）によって、制御機器１１ｂを制御する機能、空調用リモコン１２と通信を行う機能、各種演算処理を実行する機能等を有する。
【００６４】
かかる本体制御部１１ａによる制御機器１１ｂの制御によって、空調本体部１１は、浴室ＢＲ内の空気を、該浴室ＢＲとの間で循環させつつ加熱する暖房運転、浴室ＢＲ内の空気を吸引し外部に排気しつつ、加熱した外気を浴室ＢＲ内に送風する乾燥運転、浴室ＢＲ内の空気を吸引し外部に排気する換気運転、外気を加熱することなく浴室ＢＲに送風する送風運転（涼風送風運転）等の運転動作を行い得る。
【００６５】
なお、空調本体部１１は、浴室ＢＲの壁に取り付けれるユニットであってもよい。また、空調本体部１１は、電気式の発熱部の代わりに、又は該発熱部に加えて、例えばヒートポンプ式の発熱部を備えていてもよい。
【００６６】
空調用リモコン１２は、浴室ＢＲの外部、例えば浴室ＢＲに隣接する脱衣室ＵＤＲに設置されるリモコンである。該空調用リモコン１２の操作部１２ｂ（図３に示す）を操作することで、浴室空調装置１０の各運転の実行指示、暖房運転もしくは乾燥運転時にユーザが希望する温風の温度もしくは風量の設定、換気運転もしくは送風運転時にユーザが希望する風量の設定等を行うことが可能である。
【００６７】
この空調用リモコン１２は、図３に示す如く、空調用リモコン１２の動作に関する制御処理を実行可能なリモコン制御部１２ａと、複数の操作スイッチ等により構成される操作部１２ｂと、各種情報を報知する表示部１２ｃとを備える。なお、空調用リモコン１２は、各種情報を報知する報知部として、表示部１２ｃの他、ブザー、スピーカ等により構成される発音部を含み得る。
【００６８】
リモコン制御部１２ａは、マイコン、メモリ、インターフェース回路等を含む電子回路ユニットにより構成され、空調本体部１１の本体制御部１１ａと相互に有線通信を行い得るように、該本体制御部１１ａに有線接続されている。また、リモコン制御部１２ａには、操作部１２ｂの操作信号が入力される。
【００６９】
そして、リモコン制御部１２ａは、実装されたハードウェア構成及びプログラムによって、表示部１２ｃの動作を制御する機能、空調本体部１１の本体制御部１１ａと通信を行う機能、各種演算処理を実行する機能等を有する。
【００７０】
また、本実施形態では、図１に示すように、前記外部ネットワークＮＷには、住戸Ｈを含む複数の住戸の住宅設備機器に関する識別情報、運転履歴情報等の機器データを保存したり、あるいは、各住戸の住宅設備機器のユーザが宅外（外出先）で使用可能なスマートフォン、タブレット端末、携帯電話、パソコン等の外部通信端末２４と、該ユーザの住宅設備機器との間の通信を中継する機能を有する機器データ管理サーバ２２が接続されている。
【００７１】
そして、各住戸の住宅設備機器のユーザは、自身の外部通信端末２４にあらかじめインストールしておいた所定のサービスアプリケーションを起動することで、該外部通信端末２４と自身の住戸の住宅設備機器との間の通信を機器データ管理サーバ２２及び外部ネットワークＮＷを介して行うことが可能である。この通信により、各住戸の住宅設備機器のユーザは、宅外において、自身の住戸の住宅設備機器の遠隔操作を行ったり、あるいは、該住宅設備機器の運転情報を取得することが可能である。
【００７２】
例えば、住戸Ｈのユーザは、自身の外部通信端末２４（サービスアプリケーションがインストールされた外部通信端末２４）と、給湯装置１の台所リモコン４の対外通信部４ｄとの間の通信を機器データ管理サーバ２２及び外部ネットワークＮＷを介して行うことが可能である。
【００７３】
そして、この通信を行うことで、住戸Ｈのユーザは、自身の外部通信端末２４を使用して、宅外から給湯装置１又は浴室空調装置１０の運転の遠隔操作を行ったり、あるいは、給湯装置１又は浴室空調装置１０の運転情報を自身の外部通信端末２４で取得することが可能である。
【００７４】
なお、住戸Ｈのユーザの外部通信端末２４と、給湯装置１の台所リモコン４の対外通信部４ｄとの間の通信は、上記の形態に限らず、プロバイダ等のサーバを介して行い得るようになっていてもよい。
【００７５】
次に、住戸Ｈの浴室システムにおいて、給湯装置１又は浴室空調装置１０の運転を、ユーザが宅外から遠隔操作により実行させる場合の作動を以下に説明する。
【００７６】
住戸Ｈのユーザが、宅外において、自身の外部通信端末２４の前記サービスアプリケーションを起動すると、該外部通信端末２４は、機器データ管理サーバ２２及び外部ネットワークＮＷを介して給湯装置１の対外通信部４ｄと通信を行い得る状態になる。
【００７７】
この状態で、住戸Ｈのユーザは、外部通信端末２４の操作によって、浴室システムで実行させたい運転を選択することが可能である。そして、選択された運転を浴室システムで実行させるための遠隔操作信号が、外部通信端末２４から機器データ管理サーバ２２及び外部ネットワークＮＷを介して給湯装置１の対外通信部４ｄに送信されて、該対外通信部４ｄで受信される。さらに、該遠隔操作信号は、対外通信部４ｄから台所リモコン４のリモコン制御部４ａに出力される。
【００７８】
このとき、台所リモコン４のリモコン制御部４ａは、対外通信部４ｄで受信した遠隔操作信号が、給湯装置１の運転を指示するものである場合には、当該運転の実行を指示する指令信号を熱源機２の本体制御部２ａに送信する。これに応じて、給湯装置１の指示された運転が、本体制御部２ａの制御処理により実行される。
【００７９】
また、台所リモコン４のリモコン制御部４ａは、対外通信部４ｄで受信した遠隔操作信号が、浴室空調装置１０の運転を指示するものである場合には、当該運転の実行を指示する指令信号を、浴室リモコン３のリモコン制御部３ａに送信する。このとき、該浴室リモコン３のリモコン制御部３ａは、当該運転の実行を指示する赤外線信号を、赤外線送信部３ｅから空調本体部１１の赤外線受信部１１ｃに送信する。これに応じて、浴室空調装置１０の指示された運転が、本体制御部１１ａの制御処理により実行される。
【００８０】
例えば、ユーザが帰宅する前に、浴槽ＢＴの湯はりを行いたい場合には、ユーザは、サービスアプリケーションを起動した自身の外部通信端末２４で給湯装置１の湯はり運転を選択し、浴室ＢＲを暖めておきたい場合、もしくは、浴室ＢＲ内で衣類等の乾燥を行いたい場合には、ユーザは、自身の外部通信端末２４で浴室空調装置１０の暖房運転又は乾燥運転を選択する。
【００８１】
また、浴槽ＢＴの湯はりを行うことと併せて、浴室ＢＲを暖めておきたい場合には、ユーザは、自身の外部通信端末２４で、給湯装置１の湯はり運転と、浴室空調装置１０の暖房運転又は乾燥運転との両方の運転を選択することも可能である。
【００８２】
なお、浴室空調装置１０の暖房運転及び乾燥運転は、いずれも、本発明における浴室加熱運転に相当するものである。この場合、暖房運転は、浴室ＢＲ内の空気を空調本体部１１との間で循環させつつ加熱する運転、乾燥運転は、浴室ＢＲに外気を導入しつつ、加熱した空気を浴室ＢＲ内に送風する運転である。
【００８３】
上記の如くユーザが自身の外部通信端末２４で、給湯装置１の湯はり運転と、浴室空調装置１０の暖房運転又は乾燥運転とのうちの一方又は両方を選択すると、当該選択された運転を住戸Ｈの浴室システムで実行させるための遠隔操作信号が外部通信端末２４から機器データ管理サーバ２２及び外部ネットワークＮＷを介して給湯装置１の対外通信部４ｄに送信されて、該対外通信部４ｄで受信され、さらに、台所リモコン４のリモコン制御部４ａに入力される。
【００８４】
このとき、対外通信部４ｄで受信した遠隔操作信号が、給湯装置１の湯はり運転の実行を指示するものである場合には、湯はり運転の実行を指示する指令信号が台所リモコン４のリモコン制御部４ａから熱源機２の本体制御部２ａに送信される。これに応じて、給湯装置１の湯はり運転が、本体制御部２ａの制御処理により実行される。
【００８５】
また、対外通信部４ｄで受信した遠隔操作信号が、浴室空調装置１０の暖房運転又は乾燥運転の実行を指示するものである場合には、該暖房運転又は乾燥運転の実行を指示する指令信号が台所リモコン４のリモコン制御部４ａから浴室リモコン３のリモコン制御部３ａに送信され、さらに、浴室リモコン３の赤外線送信部３ｅから空調本体部１１の赤外線受信部１１ｃに赤外線信号によって送信される。これに応じて、浴室空調装置１０の暖房運転又は乾燥運転が、本体制御部１１ａの制御処理により実行される。
【００８６】
ここで、本実施形態では、浴室リモコン３又は台所リモコン４の所定の操作を行うことで、浴室システムの種々の運転モードの有効・無効を事前に設定しておくことが可能であり、該運転モードには、例えば、給湯装置１の湯はり運転を実行するときに、該湯はり運転に連動して（該湯はり運転と並行して）、浴室空調装置１０の暖房運転（又は乾燥運転）を自動的に実行させる空調連動湯はり運転モードが含まれる。
【００８７】
そして、この空調連動湯はり運転モードが有効に設定されている場合に、ユーザが自身の外部通信端末２４で給湯装置１の湯はり運転を実行対象の運転として選択することによって、該湯はり運転を実行するための遠隔操作信号が、外部通信端末２４から給湯装置１の対外通信部４ｄに送信された場合には、台所リモコン４のリモコン制御部４ａは、湯はり運転の実行を指示する指令信号を熱源機２の本体制御部２ａに送信することと併せて、浴室空調装置１０の暖房運転又は乾燥運転の実行を指示する指令信号を浴室リモコン３の赤外線送信部３ｅを介して空調本体部１１の赤外線受信部１１ｃに送信させる。
【００８８】
これに応じて、給湯装置１の湯はり運転が実行されると共に、該湯はり運転と並行して、浴室空調装置１０の暖房運転又は乾燥運転が実行される。
【００８９】
なお、空調連動湯はり運転モードが無効に設定されている場合においては、ユーザが自身の外部通信端末２４で給湯装置１の湯はり運転と浴室空調装置１０の暖房運転又は乾燥運転との両方の運転を実行対象の運転として選択することによって、該湯はり運転と暖房運転又は乾燥運転との両方の運転を実行するための遠隔操作信号が、外部通信端末２４から給湯装置１の対外通信部４ｄに送信された場合には、上記と同様に、給湯装置１の湯はり運転が実行されると共に、該湯はり運転と並行して、浴室空調装置１０の暖房運転又は乾燥運転が実行される。
【００９０】
以降、ユーザの外部通信端末２４から給湯装置１の対外通信部４ｄヘの遠隔操作信号の送信によって、給湯装置１の湯はり運転と浴室空調装置１０の暖房運転又は乾燥運転とが並行して実行される場合の作動を中心に説明する。
【００９１】
ユーザの外部通信端末２４からの遠隔操作信号によって、給湯装置１の湯はり運転と並行して、浴室空調装置１０の暖房運転又は乾燥運転の実行が開始された場合に、浴室リモコン３のリモコン制御部３ａは、温度センサ３ｄの検出信号により示される浴室温度検出値に基づいて、浴室空調装置１０の異常の有無を監視する。
【００９２】
具体的には、リモコン制御部３ａは、例えば、浴室温度検出値が、所定値以上の温度に上昇しない場合、あるいは、浴室空調装置１０の暖房運転又は乾燥運転の実行指令を示す赤外線信号を赤外線送信部３ｅから送信してから、所定時間が経過するまでの期間内での浴室温度検出値の上昇量が所定値以下に留まる場合等に、浴室空調装置１０の異常が発生したことを検知する。
【００９３】
この場合、給湯装置１の本体制御部２ａ及びリモコン制御部３ａ，４ａは、浴室空調装置１０の運転状態などを示す情報を該浴室空調装置１０から受信することはできないものの、浴室リモコン３のリモコン制御部３ａは、該浴室リモコン３に搭載された温度センサ３ｄの検出信号により示される浴室温度検出値に基づいて、上記の如く、浴室空調装置１０の異常の有無を検知できる。
【００９４】
なお、給湯装置１の本体制御部２ａ及びリモコン制御部３ａ，４ａは、相互に通信可能であるので、浴室空調装置１０の異常の有無を上記の如く検知する処理は、浴室リモコン３のリモコン制御部３ａに限らず、熱源機２の本体制御部２ａ又は台所リモコン４のリモコン制御部４ａで実行したり、あるいは、本体制御部２ａ及びリモコン制御部３ａ，４ａの２つ以上の制御部の協働処理により実行することも可能である。このことは、浴室空調装置１０の異常の有無を上記の如く検知する処理に限らず、給湯装置１の本体制御部２ａ及びリモコン制御部３ａ，４ａのいずれかで実行される処理について同様である。
【００９５】
本実施形態では、浴室リモコン３のリモコン制御部３ａは、浴室空調装置１０の異常の発生を検知すると、該異常が発生した旨と、現在の浴室温度検出値とを示す異常情報を台所リモコン４のリモコン制御部４ａと熱源機２の本体制御部２ａとに送信する。
【００９６】
このとき、台所リモコン４のリモコン制御部４ａは、浴室リモコン３から受信した異常情報を、対外通信部４ｄから機器データ管理サーバ２２及び外部ネットワークＮＷを介してユーザの外部通信端末２４（遠隔操作信号の送信元の外部通信端末２４）に送信させる。
【００９７】
そして、ユーザの外部通信端末２４は、上記異常情報を受信すると、該異常情報の内容（浴室空調装置１０の異常が発生した旨、及び現在の浴室温度検出値）を外部通信端末２４の表示器に表示する。これにより、ユーザは、浴室空調装置１０の異常発生によって、浴室ＢＲを暖めることができないことと、浴室ＢＲの温度がどの程度の温度であるかを認識することができる。
【００９８】
なお、浴室空調装置１０の異常の発生が検知された場合に、上記異常情報を給湯装置１の対外通信部４ｄからユーザの外部通信端末２４に送信する処理は、給湯装置１の湯はり運転を行うことなく、浴室空調装置１０の暖房運転又は乾燥運転を、外部通信端末２４からの遠隔操作信号により実行する場合でも同様に行われる処理である。
【００９９】
外部通信端末２４からの遠隔操作信号によって、給湯装置１の湯はり運転と浴室空調装置１０の暖房運転又は乾燥運転とが並行して実行される場合においては、浴室空調装置１０の異常の発生が検知された場合に、上記異常情報を浴室リモコン３から受信した熱源機２の本体制御部２ａは、給湯装置１の湯はり運転の終了後に保温運転を実行するか否かを、該保温運転の実行のための所定の条件が成立するか否かによって決定する。
【０１００】
この場合、例えば次のように、保温運転を実行することが決定される。すなわち、ユーザによる給湯装置１の運転モードの事前設定によって、湯はり運転後に、自動的に保温運転を実行させる運転モードが有効に設定されている場合には、本体制御部２ａは、湯はり運転後に保温運転を実行することを決定する。なお、湯はり運転後に、自動的に保温運転を実行させる運転モードが有効に設定されている場合には、浴室空調装置１０の異常の発生が検知された場合に限らず、浴室空調装置１０の異常の発生が検知されない場合でも、湯はり運転の終了後に保温運転が自動的に実行される。
【０１０１】
また、湯はり運転後に、自動的に保温運転を実行させる運転モードが有効に設定されていない場合（該運転モードが無効となっている場合）には、本体制御部２ａは、湯はり運転後の保温運転を実行するか否かを、例えば、浴室空調装置１０の異常の発生に応じて浴室リモコン３から受信した異常情報により示される浴室温度検出値に応じて決定する。
【０１０２】
この場合、より具体的には、本体制御部２ａは、浴室リモコン３から受信した異常情報により示される浴室温度検出値が、例えば、あらかじめ定められた所定温度よりも低いことを必要条件として、保温運転を実行することを決定する。なお、浴室の温度に関する上記所定温度は、ユーザが事前に可変的に設定し得るようにすることも可能である。また、該所定温度を、例えば、あらかじめユーザが設定した風呂温度（浴槽ＢＴに湯はりする湯温の目標値）に応じて決定することも可能である。
【０１０３】
このように本実施形態では、浴室空調装置１０の異常の発生が検知された場合に、湯はり運転後に、自動的に保温運転を実行させる運転モードが有効に設定されているか否かの情報と、浴室温度検出値とに基づいて、保温運転を実行するか否かが決定される。
【０１０４】
そして、熱源機２の本体制御部２ａは、保温運転を実行することを決定した場合には、給湯装置１の湯はり運転の終了後に、保温運転を実行する。
【０１０５】
この保温運転では、浴槽ＢＴ内の湯を熱源機２との間で循環させつつ、該熱源機２で加熱することが間欠的に繰り返される。この場合、例えば、浴槽ＢＴ内の湯温の検出値が、設定された風呂温度よりも所定値以上、低下したときに浴槽ＢＴ内の湯を加熱する運転が開始される。そして、浴槽ＢＴ内の湯温の検出値が、設定された風呂温度まで上昇したとき、あるいは、該風呂温度よりも所定値以上、上昇したときに、浴槽ＢＴ内の湯を加熱する運転が休止される。
【０１０６】
かかる保温運転を実行することで、浴室空調装置１０が、発熱部の異常等により暖房運転又は乾燥運転を実行できないことによって、浴室ＢＲ内の温度が低い状態になっていても、ユーザが帰宅する前に、浴槽ＢＴ内の湯温が、放熱により早期に低下してしまうのを防止することができる。ひいては、ユーザは、帰宅後の入浴を直ちに行うことが可能となる。
【０１０７】
また、浴室空調装置１０が、発熱部の異常等により暖房運転又は乾燥運転を実行できなくても、浴室ＢＲ内を、保温された浴槽ＢＴ内の湯からの継続的な放熱によって、比較的暖かい状態に保つことができる。ひいては、帰宅したユーザが浴室ＢＲに入室したときに、該ユーザが寒さを感じるのを極力防止することができる。
【０１０８】
さらに、本実施形態では、熱源機２の本体制御部２ａは、保温運転の実行中に、浴室空調装置１０により浴室ＢＲ内の空気を撹拌させる運転指令を、浴室リモコン３の赤外線送信部３ｅから送信すべき旨を浴室リモコン３のリモコン制御部３ａに送信する。これに応じて、浴室リモコン３のリモコン制御部３ａは、赤外線送信部３ｅから浴室空調装置１０の赤外線受信部１１ｃに当該運転指令を赤外線信号により送信する。
【０１０９】
このとき、浴室空調装置１０の本体制御部１１ａは、空調本体部１１の送風ファンを正常に作動させることができる場合には、浴室ＢＲ内の空気を空調本体部１１との間で循環させるように該送風ファンを作動させる。これにより、浴室ＢＲ内の空気が撹拌される。
【０１１０】
これにより、保温運転時の浴槽ＢＴ内の湯からの放熱が浴室ＢＲ内で拡散して、該浴室ＢＲの全体を均一的に暖めることが可能となる。
【０１１１】
以上のように、本実施形態によれば、対外通信部４ｄを台所リモコン４に備える給湯装置１は、浴室空調装置１０の運転情報を該浴室空調装置１０から取得することはできないものの、外部通信端末２４からの遠隔操作信号により浴室空調装置１０の暖房運転又は乾燥運転を実行した場合に、浴室リモコン３に搭載されている温度センサ３ｄによる浴室温度検出値を利用することで、浴室空調装置１０の異常の発生を検知することができる。そして、該異常が発生した旨等を示す異常情報を、外部通信端末２４に送信して、ユーザに通知することができる。
【０１１２】
このため、ユーザは、通知された異常情報によって、浴室空調装置１０の異常が発生して、該浴室空調装置１０の暖房運転又は乾燥運転を正常に実行できない旨と、浴室ＢＲのがどの程度の温度であるかを認識した上で、帰宅後に入浴することができる。ひいては、ユーザが、帰宅後に、浴室ＢＲ内が暖まっていると誤認識したままで、暖まっていない浴室ＢＲに入室してしまうことを防止できる。その結果、ユーザのヒットショックの発生を予防することができる。
【０１１３】
また、浴室空調装置１０の暖房運転又は乾燥運転を正常に実行できない旨をユーザが認識することで、必要に応じて対策処置等をとることができる。例えば、衣類等の乾燥のために、浴室空調装置１０の乾燥運転を遠隔操作により行おうとした場合に、浴室空調装置１０の乾燥運転を正常に実行できない旨をユーザが認識することで、該ユーザは、家族等に衣類等の乾燥を別の手段で行うことを依頼すること等を実行できる。
【０１１４】
また、浴室空調装置１０の暖房運転又は乾燥運転を、給湯装置１の湯はり運転と並行して実行する場合には、浴室空調装置１０の異常の発生が検知された場合に、給湯装置１の湯はり運転後の保温運転が適宜実行される。さらに、浴室空調装置１０の送風ファンが作動し得る場合には、浴室ＢＲ内の空気を撹拌するように浴室空調装置１０の送風ファンを作動させることが行われる。ひいては、浴室空調装置１０の発熱部の故障等により暖房運転又は乾燥運転を正常に実行することができない場合でも、ユーザが帰宅する前に、浴槽ＢＴ内の湯温が早期に低下するのを防止することができると共に、浴室ＢＲ内をある程度暖めておくことができる。
【０１１５】
補足すると、本実施形態において、自動的に保温運転を実行させる運転モードが有効に設定されていない状況で、浴室空調装置１０の異常の発生が検知された場合に、例えば、該異常の発生を示す情報を外部通信端末２４で受けたユーザが、該外部通信端末２４の操作によって、給湯装置１の湯はり運転の終了後の保温運転を実行するか否かを選択し得るようにして、該保温運転の実行が選択された場合に、その旨を示す遠隔操作指令を、該外部通信端末２４から給湯装置１の対外通信部４ｄに送信するようにしてもよい。そして、給湯装置１では、当該遠隔操作指令を受けた場合に、保温運転を実行し、当該遠隔操作指令を受けない場合には、保温運転を実行しないようにしてもよい。
【０１１６】
［第２実施形態］
次に、本発明の第２実施形態を説明する。なお、本実施形態は、前記第１実施形態を一部の処理だけが相違するので、その相違点を中心に説明し、第１実施形態と同一の事項については説明を省略する。
【０１１７】
本実施形態では、外部通信端末２４からの遠隔操作信号によって、給湯装置１の湯はり運転と浴室空調装置１０の暖房運転又は乾燥運転とが並行して実行される場合において、浴室空調装置１０の異常の発生が検知された場合に、熱源機２の本体制御部２ａは、給湯装置１の湯はり運転後に、前記保温運転の代わりに、浴槽ＢＴ内の湯温を、ユーザにより設定された風呂温度よりも若干高い温度に昇温させる湯温度昇温運転を適宜、給湯装置１に実行させる。
【０１１８】
具体的には、浴室空調装置１０の異常の発生が検知された場合に、前記異常情報（浴室空調装置１０の異常が発生した旨と、浴室温度検出値と示す情報）を浴室リモコン３から受信した熱源機２の本体制御部２ａは、給湯装置１の湯はり運転の終了後に湯温度昇温運転を実行するか否かを、該湯温度昇温運転の実行のための所定の条件が成立するか否かによって決定する。
【０１１９】
この場合、例えば次のように、湯温度昇温運転を実行することが決定される。すなわち、本体制御部２ａは、湯はり運転後の湯温度昇温運転を実行するか否かを、例えば、浴室空調装置１０の異常の発生に応じて浴室リモコン３から受信した異常情報により示される浴室温度検出値に応じて決定する。
【０１２０】
この場合、より具体的には、本体制御部２ａは、浴室リモコン３から受信した情報信号により示される浴室温度検出値が、例えば、あらかじめ定められた所定温度よりも低いことを必要条件として、湯温度昇温運転を実行することを決定する。なお、浴室の温度に関する上記所定温度は、ユーザが事前に可変的に設定し得るようにすることも可能である。また、該所定温度を、例えば、あらかじめユーザが設定した風呂温度（浴槽ＢＴに湯はりする湯温の目標値）に応じて決定することも可能である。
【０１２１】
このように本実施形態では、浴室空調装置１０の異常の発生が検知された場合に、浴室温度検出値に基づいて、湯温度昇温運転を実行するか否かが決定される。
【０１２２】
そして、熱源機２の本体制御部２ａは、湯温度昇温運転を実行することを決定した場合には、給湯装置１の湯はり運転の終了後に、湯温度昇温運転を実行する。
【０１２３】
この湯温度昇温運転では、浴槽ＢＴ内の湯を熱源機２との間で循環させつつ、該熱源機２で加熱することが、浴槽ＢＴ内の湯温が、ユーザにより設定された風呂温度よりも所定値だけ高い温度に昇温するまで実行される。換言すれば、ユーザにより設定された風呂温度よりも所定値だけ高い温度を目標として、給湯装置１の追い焚き運転が実行される。
【０１２４】
あるいは、湯温度昇温運転では、ユーザにより設定された風呂温度よりも所定値だけ高い温度に昇温した湯を、所定量だけ熱源機２から浴槽ＢＴに供給することが実行される。換言すれば、ユーザにより設定された風呂温度よりも所定値だけ高い温度を目標として、給湯装置１の足し湯運転が実行される。
【０１２５】
かかる湯温度昇温運転を実行することで、浴室空調装置１０が、発熱部の異常等により暖房運転又は乾燥運転を実行できなくても、浴室ＢＲ内を、設定された風呂温度よりも昇温された浴槽ＢＴ内の湯からの放熱によって、比較的暖かい状態に保つことができる。ひいては、帰宅したユーザが浴室ＢＲに入室したときに、該ユーザが寒さを感じるのを極力防止することができる。
【０１２６】
また、本実施形態では、熱源機２の本体制御部２ａは、第１実施形態で保温運転を実行する場合と同様に、上記湯温度昇温運転の実行中に、浴室空調装置１０により浴室ＢＲ内の空気を撹拌させる運転指令を、浴室リモコン３の赤外線送信部３ｅから送信すべき旨を浴室リモコン３のリモコン制御部３ａに送信することで、浴室リモコン３の赤外線送信部３ｅから浴室空調装置１０の赤外線受信部１１ｃに当該運転指令を赤外線信号により送信させる。
【０１２７】
これにより、空調本体部１１の送風ファンを正常に作動させることができる場合には、浴室ＢＲ内の空気を空調本体部１１との間で循環させるように該送風ファンが作動され、ひいては、浴室ＢＲ内の空気が撹拌される。
【０１２８】
以上説明した事項以外は、第１実施形態と同じである。かかる本実施形態においては、浴室空調装置１０の異常の発生が検知された場合に、給湯装置１の湯温度昇温運転が適宜実行させるので、第１実施形態と同様の効果を奏することができる。
【０１２９】
補足すると、本実施形態において、浴室空調装置１０の異常の発生が検知された場合に、例えば、該異常の発生を示す情報を外部通信端末２４で受けたユーザが、該外部通信端末２４の操作によって、給湯装置１の湯はり運転の終了後の湯温度昇温運転を実行するか否かを選択し得るようにして、該湯温度昇温運転の実行が選択された場合に、その旨を示す遠隔操作指令を、該外部通信端末２４から給湯装置１の対外通信部４ｄに送信するようにしてもよい。そして、給湯装置１では、当該遠隔操作指令を受けた場合に、湯温度昇温運転を実行し、当該遠隔操作指令を受けない場合には、湯温度昇温運転を実行しないようにしてもよい。
【０１３０】
なお、本発明は、以上説明した各実施形態に限定されるものではなく、他の実施形態を採用することもできる。例えば、浴室空調装置１０の異常が発生した場合における給湯装置１の保温運転時又は湯温度昇温運転時に、浴室ＢＲ内の空気を撹拌するように浴室空調装置１０を作動させることを省略してもよい。
【０１３１】
また、例えば浴室リモコン３の温度センサ３ｄ及び赤外線送信部３ｅは、浴室リモコン３に脱着可能な部材に搭載しておき、浴室空調装置１０を設置した住戸の給湯装置１の浴室リモコン３にだけ、当該部材を装着するようにしてもよい。
【０１３２】
また、温度センサ３ｄ及び赤外線送信部３ｅは、例えば、浴室リモコン３と別体で、浴室ＢＲに配置されるものであってもよい。
【０１３３】
また、赤外線送信部３ｅ及び赤外線受信部１１ｃの代わりに、赤外線以外の無線通信信号（例えば可視光域の信号）の送信部を給湯装置１の浴室リモコン３等に搭載すると共に、該通信信号の受信部を浴室空調装置１０に備えるようにしてもよい。
【符号の説明】
【０１３４】
１…給湯装置、３…浴室リモコン、３ｄ…温度センサ、３ｅ…赤外線送信部（送信部）、２ａ…本体制御部（制御処理部）、３ａ…リモコン制御部（制御処理部）、４ａ…リモコン制御部（制御処理部）、４ｄ…対外通信部、２４…外部通信端末、ＮＷ…外部ネットワーク。
【図１】
2019015444.tif 000003
【図２】
2019015444.tif 000004
【図３】
2019015444.tif 000005